(57)【要約】      （修正有）【課題】ペットボトルを足で踏み潰す時に発生する空気圧を利用して風船を膨らませ、偏平に踏み潰したペットボトルはそのままリサイクル用のゴミとして処分することが可能な風船の膨らまし具を提供する。【解決手段】円筒状の差込部３とキャップ状の連結部４とを空気流通可能に一体に連結するとともに空気流通路に逆止弁を内蔵した空気圧入具１であり、また、円筒状の差込部３とキャップ状の連結部４とを空気流通可能に一体に連結するとともに空気流通路に逆止弁を内蔵した空気圧入具１と、ペットボトルのようなプラスチック製容器２とからなる風船の膨らまし具である。【選択図】図１
0003160965.tif 000002
【実用新案登録請求の範囲】
【請求項１】
円筒状の差込部３とキャップ状の連結部４とを空気流通可能に一体に連結するとともに空気流通路に逆止弁５を内蔵した空気圧入具１から成ることを特徴とする風船の膨らまし具。
【請求項２】
円筒状の差込部３とキャップ状の連結部４とを空気流通可能に一体に連結するとともに空気流通路に逆止弁５を内蔵した空気圧入具１と、ペットボトルのようなプラスチック製容器２とから成ることを特徴とする風船の膨らまし具。
【請求項３】
空気圧入具１にはクリップ１９を付設して成ることを特徴とする請求項１または２に記載の風船の膨らまし具。
【請求項４】
空気圧入具１の中央部外周には環状の突起２１を形成したことを特徴とする請求項１または２に記載の風船の膨らまし具。
【考案の詳細な説明】
【技術分野】
【０００１】
本考案は、ゴムやプラスチックやビニール等からなる風船の膨らまし具に関し、特に、お茶やコーヒー、清涼飲料水等の飲料用や調味料などに広く使用されるプラスチック製の容器（通称、ペットボトル）の空気圧を利用して風船を膨らませるものである。
【背景技術】
【０００２】
風船は、色々な形状や色彩を有するものを膨らませて室内装飾に使用したり、或いは、手でついたり空中に飛ばして遊び具として楽しむことがある。また、細長く膨らませた風船は、数箇所をねじ曲げて色々な動物やキャラクターの形に仕上げて楽しむこともある。
【０００３】
家庭で親子そろって楽しむには、細長い風船や丸い風船等の口部を銜え、息を吹き込んで風船を膨らませるが、子供では息が続かずに風船を充分な大きさに膨らませることは大変である。
【０００４】
縁日の露店や各種のイベント、キャンペーンなどでは業者がボンベを使用して空気やヘリウム等の気体により風船を膨らませるが、ボンベを家庭で常時用意し、風船を膨らませて遊びに使用するには不向きである。
【０００５】
その他に風船を膨らませる先行技術としては、実開平５−７４５９４として風船を膨らませることのできる補助具が提供されている。これは、エアポンプを操作して風船ゴムに空気を圧入し、風船ゴムを膨らませるものである。
【先行技術文献】
【特許文献】
【０００６】
【特許文献１】実開平５−７４５９４号公報
【考案の概要】
【考案が解決しようとする課題】
【０００７】
しかし、上記の特許文献１に示される特別な補助具を業者が使用するには便利であるが、一般家庭で風船の膨らまし用に購入しても日常的に使用するものではなく、そのうちには忘れられたものとなり、使用されなくなり不経済である。
【０００８】
多くはお茶やコーヒー、清涼飲料水等の容器としてプラスチック製の容器（以下、単にペットボトルと称する）が広く使用されている。ペットボトルには各種の大きさがあるが、ペットボトルを使用する飲料メーカーやペットボトルのリサイクル業界では、使用済みのペットボトルは偏平に踏み潰した状態で分別ゴミとして廃棄処分することを希望している。
【０００９】
これは、一般家庭や店頭でペットボトルを使用済みのままゴミとして出すと一個当たりの体積が大きく、かさばるため一時に大量に運搬することは困難である、という運送上の問題がある。しかし、ペットボトルを偏平に踏み潰すことで全体の体積が小さくなるため分別収集が容易であり、一時に大量のペットボトルを輸送することができるので経済的であり、また、リサイクル業界ではリサイクルのための処理がし易い利点がある。
【００１０】
本考案は、上記する先行技術の問題点やペットボトルの処分の問題点等に鑑み、ペットボトルを足で踏み潰した時に発生する空気圧を利用して風船を膨らませることのできる空気圧入具を使用した風船の膨らまし具を提供することを目的とする。
【００１１】
また、本考案は、空気圧入具とペットボトルとを結合することにより風船を膨らませることのできる風船の膨らまし具を提供するものであり、偏平に踏み潰したペットボトルはそのままリサイクル用のゴミとして処分することが可能な風船の膨らまし具を提供することを目的とするものである。
【課題を解決するための手段】
【００１２】
上記の目的を達成するために本考案風船の膨らまし具は、円筒状の差込部３とキャップ状の連結部４とを空気流通可能に一体に連結するとともに空気流通路に逆止弁５を内蔵した空気圧入具１である。
【００１３】
また、本考案風船の膨らまし具は、円筒状の差込部３とキャップ状の連結部４とを空気流通可能に一体に連結するとともに空気流通路に逆止弁５を内蔵した空気圧入具１と、ペットボトルのようなプラスチック製容器２とからなり、空気圧入具１には、クリップ１９を連結し、或いは、差込部３の中央外周には環状の突起２１が形成してある。
【考案の効果】
【００１４】
本考案風船の膨らまし具である空気圧入具１は、空気を一方向に送り込み可能とし、風船に圧縮した空気を圧入することで風船を膨らませることができ、また、空気圧入具１とペットボトル２とを密に連結し、空気圧入具１の差込部３に風船１７の口部差し込み、ペットボトル２を足で踏み潰した時の圧力で発生した空気圧を風船１７内に圧入することで風船１７は必要な大きさまで膨らませることができる。
【００１５】
空気圧入具１には逆止弁５を内蔵しているので、ペットボトル２の踏み潰し作業を停止しても空気は逆流せず、風船１７から空気が抜けることはない。ペットボトル２が偏平状態になるまで何度でも踏み潰し作業を行うことができ、一個のペットボトル２で空気量が足りない時にはペットボトル２を交換することも可能である。
【００１６】
更には、踏み潰したペットボトル２を空気圧入具１から取り外し、ペットボトル２を常態に復元させれば、再度、風船１７の膨らまし用に使用することができ、一個のペットボトル２を何回でも使用することができる。
【００１７】
ペットボトル２を踏み潰すことで風船１７に空気圧の供給を行うが、最終的にはペットボトル２は偏平状に押しつぶされた状態となるので、膨らむことはなく、体積を小さくしたままゴミとして処分することができ、一時に大量輸送が可能であって経済的であり、リサイクル処分も容易である。
【００１８】
空気圧入具１の差込部３に風船１７の口部を差し込んだ後、空気の圧入に際し、風船１７の口部を指で押えておけばよいが、子供が風船の口部を押え、親がペットボトルを踏み潰すようにすれば、親子で楽しむことができる。また、空気圧入具１に付設したクリップ１９で風船１７の口部を外側から嵌めて押えるようにすれば、手を使わずに空気圧入具１風船１７を固定することができ、風船１７が抜けることなく空気の圧入が容易であり、作業がし易くなる。
【００１９】
更に、空気圧入具１の差込部３の中間外周に環状の突起２１を形成すれば、風船１７の口部が引っかかるので抜けにくく、突起２１の内側においてクリップ１９を嵌めるようにすれば、クリップ１９自体が位置ずれを生ずることがなく、風船１７及びクリップ１９は安定したものとなる。
【００２０】
ペットボトル２は大量に手に入れることができ、ゴミとして廃棄処分する前のペットボトル２を踏み潰す面白さがあり、親子そろって或いは子供だけでも楽しみながら風船１７を膨らませ、環境問題の教育にも役立てることができる。特に、空気圧入具１は単価が低廉であるから、各種ペットボトル２の首部に袋や輪ゴム、テープ等で取り付ければ景品として提供でき、商品の宣伝効果を有するものである。
【図面の簡単な説明】
【００２１】
【図１】空気圧入具とプラスチック容器を分離した状態の斜視図である。
【図２】空気圧入具の中央拡大断面図である。
【図３】弁体と保持具の斜視図である。
【図４】空気圧入具とプラスチック容器及び風船を連結した状態の正面図である。
【図５】風船の口部をクリップで閉じた状態の正面図である。
【考案を実施するための形態】
【００２２】
以下、図面に従って本考案の一実施例を詳細に説明する。
第１図は、本考案風船の膨らまし具としてのプラスチック製の空気圧入具１を示し、また、空気圧入具１と、この空気圧入具１を取付けるプラスチック製の容器２との結合体を示すものである。
【００２３】
以下の説明においては、プラスチック製容器２として、日常、多く使用されているお茶やコーヒー、清涼飲料水等のペットボトルを使用した場合について説明するが、醤油やソース、食用油等のためのプラスチック製の調味料容器その他適度の弾性を有する容器を含むものである。また、本考案に使用する風船の種類は問うものではない。
【００２４】
本考案空気圧入具１は、図２に示すように、細長い円筒状の差込部３と内周にネジ溝を形成することによりペットボトル２に連結可能としたキャップ状の連結部４とを空気が流通するように一体にしたものであり、差込部３と連結部４との結合部、即ち、空気流通路内には逆止弁５を内蔵している。この逆止弁５は、空気を一方向にのみ流通させる公知のものである。
【００２５】
即ち、図３に示すように、この逆止弁５は、弁体６と弁体６の保持具７から成るものである。弁体６は、ゴムやプラスチック等の適度の柔軟性を有する円板８内に一部を閉じた状態で円形の切り込みを形成して開閉弁９を設けたものである。
【００２６】
また、図３においてプラスチック製の保持具７は、円板８とほぼ同じ径を有する一端面を押圧面１０とし、この押圧面１０の下部周辺を大径の嵌合部１１とするとともに嵌合部１１の下面には押圧面１０とほぼ同径の円筒体１２を連設し、押圧面１０と嵌合部１１のの中心には前記の開閉弁９より小さな流通孔１３を貫通して形成したものである。
【００２７】
逆止弁５は上記の構成であり、弁体６は、差込部３の下面弁座１４に押し当てる。次に、保持具７の嵌合部１１を連結部４内の上部に形成した嵌合孔１５に密に嵌め込めば、保持具７は連結部４内に固定され、同時に、押圧面１０が弁体６の下面に当接するので弁体６は弁座１４と押圧面１０との間に、挟持して固定される。
【００２８】
前記の差込部３内の空気流通孔１６の下部は、弁体６に設けた開閉弁９の径よりも大きくなっているので、開閉弁９は空気流通孔１６内に開口するが、常態では開閉弁９は押圧面１０に当接していので下方向に開口することはない。従って、空気は前記の流通孔１３を通り開閉弁９を上方に押し上げ、差込部３の空気流通孔１６を通って一方向に流通する。
【００２９】
尚、嵌合部１１に連設した円筒体１２は、保持具７を連結部４内に着脱するための握持用である。このため、円筒体１２である必要はなく、一本或いは複数本の棒状体の突起を嵌合部１１の円周に沿って下方向へ突設したものでもよい。また、嵌合部１１は、断面半円状の環状体とし、嵌合孔１５は嵌合部１１に対応する半円状の窪みとしてもよい。
【００３０】
本考案風船の膨らまし具の空気圧入具１は上記の構成であり、次に使用状態について説明する。
図４に示すように、空気圧入具１の連結部４をペットボトル２の口部にねじ込んで密に連結し、空気圧入具１の差込部３には風船１７の口部を差し込む。この状態で風船１７の口部を指先で握って固定し、ペットボトル２の胴部を足で踏み潰し、偏平状態となるように圧力をかける。尚、風船１７は一例の概略を示すものである。
【００３１】
その圧力衝撃でペットボトル２内の空気は、保持具７の流通孔１３を通り、弁体６の開閉弁９を上方へ押し開いて差込部３の空気流通孔１６から風船１７内に圧入され、風船１７を膨らませる。ペットボトル２を踏み潰すことを繰り返すことで大量の空気が風船１７内に圧入され、必要な大きさに膨張する。
【００３２】
ペットボトル２は、大きな体積の容器を使用することが望ましいが、一個のペットボトル２でも必要な大きさに膨らまない場合には、数個のペットボトル２を取り替えて使用すればよい。
【００３３】
尚、ペットボトル２を踏み潰して風船１７に空気を入れても空気量が足りない場合には、空気圧入具１とペットボトル２の連結状態を外し、ペットボトル２を膨らんだ状態に戻した後、空気圧入具１とペットボトル２とを連結してペットボトル２を踏み潰せば再び風船１７を膨らませることができ、一個のペットボトル２を何回でも使用して資源を有効活用することができる。
【００３４】
差込部３と連結部４との間には逆止弁５を内蔵しているので、ペットボトル２を踏み潰す作業を停止しても風船１７内の空気は逆流することはない。
尚、上記する逆止弁５は、一例を示すものであり、例えば、公知のボール弁のような他の逆止弁５を使用することも可能である。
【００３５】
図１に示すように空気圧入具１には紐１８でクリップ１９を取付けてもよい。前記のように差込部３に風船１７の口部を差し込んで空気を圧入する時、空気圧で風船１７が外れる危険性がある。そこで、差込部３に差し込んだ風船１７の口部を、図５に示すように、クリップ１９先端の円形挟持部２０で掴むようにすれば風船１７が外れることはなく、安定して空気の圧入作業ができる。
【００３６】
また、図１に示すように、差込部３の中央部外周には環状の突起２１を形成することができる。差込部３に風船１７を差し込むと、突起２１に風船１７の口部が引っかかり、抜けにくくなるとともにこの突起２１の内側でクリップ１９を嵌めるようにすれば空気圧入に際し風船１７は抜けにくく、安定したものとなる。
【符号の説明】
【００３７】
１  空気圧入具
２  ペットボトル
３  差込部
４  連結部
５  逆止弁
６  弁体
７  保持具
８  円板
９  開閉弁
１０  押圧面
１１  嵌合部
１２  円筒部
１３  流通孔
１４  弁座
１５  嵌合孔
１６  空気流通孔
１７  風船
１８  紐
１９  クリップ
２０  挟持部
２１  環状突起
【図１】
0003160965.tif 000003
【図２】
0003160965.tif 000004
【図３】
0003160965.tif 000005
【図４】
0003160965.tif 000006
【図５】
0003160965.tif 000007